(57)【要約】【課題】  常温で正常に動作した半導体表示装置でも低温では正常な動作をしないことがある。ところで、半導体表示装置はその回路構成や駆動方式が同じなら、動作周波数が高いほど表示品位が高くなる傾向がある。ここで常温を基準として動作周波数を規定した場合、低温で正常動作をしない可能性がある。【解決方法】  半導体表示装置の温度や動作状態などを測定し、その測定結果に応じて動作周波数を変化させる。特に低温では動作周波数を低くすることで正常動作をさせ、常温や高温では動作周波数を高くすることで表示品位を高める。【選択図】  図１
2005181917.tif 000002
【特許請求の範囲】
【請求項１】
表示パネルの温度を測定する温度センサと、
制御信号と映像信号を供給するビデオドライバと、
前記温度センサの出力値を測定するアナログディジタルコンバーターと、
前記制御信号と前記映像信号の周波数を前記アナログディジタルコンバーターの測定結果に応じて変える手段と
を有することを特徴とする半導体表示装置の駆動回路。
【請求項２】
出力信号端子をモニターする出力信号検出回路と、
制御信号と映像信号を供給するビデオドライバと、
前記制御信号と前記映像信号の周波数を前記出力信号検出回路から得た動作状態の情報に応じて変える手段と
を有することを特徴とする半導体表示装置の駆動回路。
【請求項３】
表示パネルに制御信号と映像信号を供給するビデオドライバと、
前記制御信号と前記映像信号の周波数を前記ビデオドライバに入力される設定信号に応じて変える手段と
を特徴とする半導体表示装置の駆動回路。
【請求項４】
請求項１乃至３の何れか１項の駆動回路において、
前記制御信号と前記映像信号の周波数を、前記映像信号のフレーム周波数を変化させることによって変えることを特徴とする半導体表示装置の駆動回路。
【請求項５】
請求項１乃至３の何れか１項の駆動回路において、
前記制御信号と前記映像信号の周波数を前記映像信号の階調数を削減することによって変えることを特徴とする半導体表示装置の駆動回路。
【請求項６】
アナログディジタルコンバーターとビデオドライバを有し、
前記アナログディジタルコンバーターは温度センサの出力値を測定し、
前記ビデオドライバは表示パネルに制御信号と映像信号を供給し、
前記温度センサは前記表示パネルの温度を測定し、
前記制御信号と前記映像信号の周波数を前記アナログディジタルコンバーターの測定結果に応じて変えることを特徴とする半導体表示装置の駆動方法。
【請求項７】
出力信号検出回路とビデオドライバを有し、
前記出力信号検出回路は表示パネルの出力信号端子をモニターし、
前記ビデオドライバは前記表示パネルに制御信号と映像信号を供給し、
前記制御信号と前記映像信号の周波数を前記出力信号検出回路から得た動作状態の情報に応じて変えることを特徴とする半導体表示装置の駆動方法。
【請求項８】
ビデオドライバを有し、
前記ビデオドライバは表示パネルに制御信号と映像信号を供給し、
前記制御信号と前記映像信号の周波数を前記ビデオドライバに入力される設定信号に応じて変えることを特徴とする半導体表示装置の駆動方法。
【請求項９】
請求項６乃至８の何れか１項の駆動方法において、
前記制御信号と前記映像信号の周波数を前記映像信号のフレーム周波数を変化させることによって変えることを特徴とする半導体表示装置の駆動方法。
【請求項１０】
請求項６乃至８の何れか１項の駆動方法において、
前記制御信号と前記映像信号の周波数を前記映像信号の階調数を削減することによって変えることを特徴とする半導体表示装置の駆動方法。
【請求項１１】
請求項１乃至５の何れかの１項に記載の駆動回路を用いたことを特徴とする電子機器。
【請求項１２】
請求項６乃至１０の何れかの１項に記載の駆動方法を用いたことを特徴とする電子機器。
【発明の詳細な説明】
【技術分野】
【０００１】
本発明は半導体素子を有する半導体表示装置の駆動回路とその駆動方法に関する。特に、画素部に発光素子を用いた半導体表示装置の駆動回路とその駆動方法に関する。
【背景技術】
【０００２】
近年、エレクトロルミネッセンス（Electro Luminescence : ＥＬ）素子等を始めとした発光素子を用いた表示装置の開発が活発化している。発光素子は、自らが発光するために視認性が高く、液晶表示装置（ＬＣＤ）等において必要なバックライトを必要としないために薄型化に適しているとともに、視野角にほとんど制限がない。
【０００３】
一般に、ＥＬ素子に電流を流すことでＥＬ素子は発光する。そのためＬＣＤとは異なる駆動方法が提案されている（例えば、非特許文献１参照。）。
【非特許文献１】「フラットパネルディスプレイ大辞典」工業調査会、２００１年１２月、p.４４５−４５８
【発明の開示】
【発明が解決しようとする課題】
【０００４】
表示装置でも特に半導体素子を用いた半導体表示装置では、動作温度と最高動作周波数に関連が見られる。例えば高温(約８０℃)と常温(約２７℃)と低温(零下約４０℃)では最高動作周波数に違いがある。特に低温では図１０に例示するように最高動作周波数が低下する。つまり常温で正常に動作した半導体表示装置でも低温では正常な動作をしないことがある。
【０００５】
ところで、半導体表示装置はその回路構成や駆動方法が同じなら、動作周波数が高いほど表示品位が高くなる傾向がある。例えばフレーム周波数が高いほど画面のちらつきが目立たなくなる、また時間階調方式においては階調数を増やすほど動作周波数は高くなる。つまり高い表示品位を得るためには、極力高い動作周波数に設定する必要がある。
【０００６】
一般に半導体表示装置は低温から高温までの広い温度範囲での動作を求められる。ここで常温を基準として動作周波数を規定した場合、低温で正常動作をしない可能性がある。そのため通常は最も厳しい条件、ここでは低温の条件を基準として動作周波数を規定する。結果として低温での表示品位が常温や高温でも適用されることとなる。しかしながら常温や高温では低温に比べて高い表示品位が得られたはずであり、低温での表示品位をそのまま適用することが大きな不利益を生じさせる。
【０００７】
以上の状況に鑑み、本発明では低温から高温まで常に最適な表示品位を得ることを目的とする。
【課題を解決するための手段】
【０００８】
本発明は、半導体表示装置の温度や動作状態などを測定し、その測定結果に応じて動作周波数を変化させる。特に低温では動作周波数を低くすることで正常動作をさせ、常温や高温では動作周波数を高くすることで表示品位を高める。
【０００９】
本発明は、表示パネルの温度を測定する温度センサと、制御信号と映像信号を供給するビデオドライバと、温度センサの出力値を測定するアナログディジタルコンバーターと、制御信号と映像信号の周波数をアナログディジタルコンバーターの測定結果に応じて変える手段とを有することを特徴としている。
【００１０】
本発明は、出力信号端子をモニターする出力信号検出回路と、制御信号と映像信号を供給するビデオドライバと、制御信号と映像信号の周波数を出力信号検出回路から得た動作状態の情報に応じて変える手段とを有することを特徴としている。
【００１１】
本発明は、表示パネルに制御信号と映像信号を供給するビデオドライバと、制御信号と映像信号の周波数をビデオドライバに入力される設定信号に応じて変える手段とを特徴としている。
【００１２】
本発明は、アナログディジタルコンバーターとビデオドライバを有し、アナログディジタルコンバーターは温度センサの出力値を測定し、ビデオドライバは表示パネルに制御信号と映像信号を供給し、温度センサは表示パネルの温度を測定し、制御信号と映像信号の周波数をアナログディジタルコンバーターの測定結果に応じて変えることを特徴としている。
【００１３】
本発明は、出力信号検出回路とビデオドライバを有し、出力信号検出回路は表示パネルの出力信号端子をモニターし、ビデオドライバは表示パネルに制御信号と映像信号を供給し、制御信号と映像信号の周波数を出力信号検出回路から得た動作状態の情報に応じて変えることを特徴としている。
【００１４】
本発明は、ビデオドライバを有し、ビデオドライバは表示パネルに制御信号と映像信号を供給し、制御信号と映像信号の周波数をビデオドライバに入力される設定信号に応じて変えることを特徴としている。
【発明の効果】
【００１５】
低温での正常動作を確保しつつ、常温や高温での高い表示品位を得ることができる。これによって表示パネルの動作温度範囲の広さと、高い表示品位を両立することができる。
【発明を実施するための最良の形態】
【００１６】
以下、本発明の実施の形態について図面を参照しながら説明する。但し、本発明は多くの異なる態様で実施することが可能であり、本発明の趣旨及びその範囲から逸脱することなくその形態及び詳細を様々に変更し得ることは当業者であれば容易に理解される。従って、本実施の形態の記載内容に限定して解釈されるものではない。
【００１７】
（実施の形態１）
図１に本発明の１実施形態を示す。本実施形態では温度センサの測定結果に応じて動作周波数を変化させることを特徴とする。
【００１８】
本発明は表示パネル１００と駆動回路１１０を持つ。表示パネル１００は画素１０１と列選択ドライバ１０２と行選択ドライバ１０３と温度センサ１０４を持つ。列選択ドライバ１０２と行選択ドライバ１０３は画素１０１と同じ絶縁体上に薄膜トランジスタ(Thin Film Transistor：ＴＦＴ)を使って作成してもよいし、ＣＯＧ(Chip On Glass)として絶縁体上に貼り付けるように作成してもよい。同様に温度センサ１０４も画素１０１と同じ絶縁体上に作成してもよいし、貼り付けるように作成してもよい。また、温度センサ１０４は表示パネル１００の温度を測定することが目的であるため、必ずしも貼り付ける必要はないが、表示パネル１００に極力近い位置に配置することが望ましい。
【００１９】
駆動回路１１０はビデオドライバ１１１と アナログディジタルコンバーター(Analog Digital Converter：ＡＤＣ)１１２を持つ。ＡＤＣ１１２は温度センサ１０４を内蔵する構成でもよい。
【００２０】
列選択ドライバ１０２はビデオドライバ１１１から制御信号と映像信号(ＤＡＴＡ)を受け取る。行選択ドライバ１０３はビデオドライバ１１１から制御信号を受け取る。行選択ドライバ１０３は制御信号に応じて画素１０１を走査していく。また列選択ドライバ１０２は制御信号に応じて画素１０１に映像信号(ＤＡＴＡ)を書き込む。書き込まれた映像信号(ＤＡＴＡ)によって画素１０１は所望の映像を表示する。
【００２１】
ＡＤＣ１１２は温度センサ１０４により表示パネル１００の温度を測定し、その温度情報をビデオドライバ１１１に送る。ビデオドライバ１１１は外部から映像信号を取り込み、表示パネル１００に制御信号と映像信号(ＤＡＴＡ)を送る。このときビデオドライバ１１１はＡＤＣ１１２から得た温度情報により表示パネル１００に送る制御信号の動作周波数を変える。また制御信号の動作周波数に応じて映像信号(ＤＡＴＡ)を間引いたり補間する。
【００２２】
温度情報と動作周波数の関係は、表示パネルを有する半導体表示装置の温度と最高動作周波数の関係によって決定し、ある温度のとき充分動作可能でかつ極力表示品位が高くなるような動作周波数を選択するとよい。
【００２３】
例えば常温や高温では映像信号のフレーム周波数を１２０fps(frame per second)とすることで表示のちらつきを低減し、低温ではフレーム周波数を６０fpsに下げることで確実な動作をする。
【００２４】
もちろんフレーム周波数は上記に限定されない。またフレーム周波数を低温と常温と高温の３種類に設定してもよいし、さらに細かい設定としてもよい。
【００２５】
以上の構成により、常温や高温での高い表示品位と、低温での確実な動作を両立することができる。
【００２６】
（実施の形態２）
図２に本発明の１実施形態を示す。本実施形態では半導体表示装置の出力信号に応じて動作周波数を変化させることを特徴とする。
【００２７】
本発明は表示パネル２００と駆動回路２１０を持つ。表示パネル２００は画素２０１と列選択ドライバ２０２と行選択ドライバ２０３を持つ。列選択ドライバ２０２と行選択ドライバ２０３は画素２０１と同じ絶縁体上にＴＦＴを使って作成してもよいし、ＣＯＧ(Chip On Glass)として絶縁体上に貼り付けるように作成してもよい。
【００２８】
駆動回路２１０はビデオドライバ２１１と出力信号検出回路２１２を持つ。列選択ドライバ２０２はビデオドライバ２１１から制御信号と映像信号(ＤＡＴＡ)を受け取る。行選択ドライバ２０３はビデオドライバ２１１から制御信号を受け取る。行選択ドライバ２０３は制御信号に応じて画素２０１を走査していく。また列選択ドライバ２０２は制御信号に応じて画素２０１に映像信号(ＤＡＴＡ)を書き込む。書き込まれた映像信号(ＤＡＴＡ)によって画素２０１は所望の映像を表示する。
【００２９】
出力信号検出回路２１２は列選択ドライバ２０２の出力信号端子(ＯＵＴＰＵＴ)をモニターし、列選択ドライバ２０２の動作状態の情報をビデオドライバ２１１に送る。ビデオドライバ２１１は外部から映像信号を取り込み、表示パネル２００に制御信号と映像信号(ＤＡＴＡ)を送る。このときビデオドライバ２１１は出力信号検出回路２１２から得た動作状態の情報により表示パネル２００に送る制御信号の動作周波数を変える。また制御信号の動作周波数に応じて映像信号(ＤＡＴＡ)を間引いたり補間する。
【００３０】
例えば列選択ドライバ２０２のシフトレジスタの最終段を出力信号端子(ＯＵＴＰＵＴ)に接続している場合は、出力信号端子(ＯＵＴＰＵＴ)にはあるタイミングで一定幅のパルスが出力される。このパルスのタイミングとパルス幅が規定通りなら、動作状態は正常を示す。またタイミングがずれたり、パルス幅が広がったり消滅した場合には、動作状態は異常を示す。もし動作状態が異常を示せば、ビデオドライバ２１１は制御信号の動作周波数を下げる。
【００３１】
また、出力信号端子(ＯＵＴＰＵＴ)は行選択ドライバ２０３のシフトレジスタの最終段に接続してもよい。また、出力信号端子(ＯＵＴＰＵＴ)をシフトレジスタ以外に接続してもよい。例えば画素に映像信号(ＤＡＴＡ)を供給する配線に接続することで、画素に映像信号(ＤＡＴＡ)が正常に供給されることを確認することができる。また、出力信号端子(ＯＵＴＰＵＴ)を複数設け、複数のドライバをモニターすることもできる。この場合、複数ある出力信号端子(ＯＵＴＰＵＴ)のどれかひとつが異常動作になったとき、動作周波数を下げる。
【００３２】
以上により、表示パネル２００に最適な動作周波数に自動的に設定することで、常に最も高い表示品位を得ることができ、かつ低温での確実な動作を得ることができる。また本実施形態によると表示パネル２００の動作状態をモニターすることで動作周波数を決定するため、温度と最高動作周波数の関係を事前に調べる必要がない利点がある。
【００３３】
（実施の形態３）
図３に本発明の１実施形態を示す。本実施形態では外部からの設定信号によって動作周波数を変化させることを特徴とする。
【００３４】
本発明は表示パネル３００と駆動回路３１０を持つ。表示パネル３００は画素３０１と列選択ドライバ３０２と行選択ドライバ３０３を持つ。列選択ドライバ３０２と行選択ドライバ３０３は画素３０１と同じ絶縁体上にＴＦＴを使って作成してもよいし、ＣＯＧ(Chip On Glass)として絶縁体上に貼り付けるように作成してもよい。
【００３５】
駆動回路３１０はビデオドライバ３１１を持つ。列選択ドライバ３０２はビデオドライバ３１１から制御信号と映像信号(ＤＡＴＡ)を受け取る。行選択ドライバ３０３はビデオドライバ３１１から制御信号を受け取る。行選択ドライバ３０３は制御信号に応じて画素３０１を走査していく。また列選択ドライバ３０２は制御信号に応じて画素３０１に映像信号(ＤＡＴＡ)を書き込む。書き込まれた映像信号(ＤＡＴＡ)によって画素３０１は所望の映像を表示する。
【００３６】
ビデオドライバ３１１は外部から映像信号を取り込み、表示パネル３００に制御信号と映像信号(ＤＡＴＡ)を送る。このときビデオドライバ３１１は外部から得た設定信号により表示パネル３００に送る制御信号の動作周波数を変える。また制御信号の動作周波数に応じて映像信号(ＤＡＴＡ)を間引いたり補間する。
【００３７】
設定信号は自動的またはスイッチ操作などによって決定する。例えばバッテリーの残量によって設定信号を決めることで、バッテリーの残量が少ないときに動作周波数を下げ省電力モードとすることができる。また例えばユーザーが動作周波数を決定することで、表示品位と動作温度範囲をユーザーが設定することができる。
【００３８】
以上により、表示パネル３００を任意の動作周波数に設定することができる。
【００３９】
なお図１〜図３の半導体表示装置と駆動回路には電源も接続されるが、ここでは省略している。
【実施例１】
【００４０】
本実施例では本発明に利用できる温度センサについて例示する。
【００４１】
温度センサにはその動作原理によって複数の種類に分類できる。例えばサーミスタを用いた温度センサでは、サーミスタの抵抗値が温度により変化することを利用する。サーミスタと温度による変化の少ない抵抗素子を直列接続し、電源電圧の抵抗分割によりサーミスタに印加される電圧を測定することで温度センサとすることができる。このとき電圧はアナログ値であるため、ＡＤＣによってディジタル値に変換する。またサーミスタとＡＤＣを１チップに集積した素子もあり、本発明に利用してもよい。
【００４２】
熱電対を用いた温度センサでは、熱電対の接点の温度に応じて発生する熱起電力を利用して温度センサとする。このときも熱起電力はアナログ値であるため、ＡＤＣによってディジタル値に変換する。
【００４３】
以上の他にもバイメタル式や水銀温度センサなどがあり、本発明に示す温度センサとして利用できる。
【実施例２】
【００４４】
本実施例ではｍ行ｎ列のマトリクス状に並んだ画素を持つ半導体表示装置について示す。
【００４５】
図４に列選択ドライバの一例として線順次書込ドライバを示す。図４に示す列選択ドライバ４０２はシフトレジスタ４２１、第１ラッチ４２２、第２ラッチ４２３、レベルシフタ４２４、出力バッファ４２５によって構成されている。また制御信号としてスタートパルスＳＰ、クロックパルスＣＫ、ラッチパルスＬＡＴが入力される。また映像信号(ＤＡＴＡ)が入力される。ここでＤＡＴＡは１つでもよいし、２つ以上の並列でもよい。同じフレーム周波数でもＤＡＴＡの並列数が多いほど動作周波数を低くできるが、配線本数が増加する。
【００４６】
シフトレジスタ４２１はスタートパルスＳＰとクロックパルスＣＫをタイミング信号として、シフト動作をし、Ｓ１からＳｎを順次選択していく。第１ラッチ４２２はシフトレジスタ４２１に選択されたタイミングでＤＡＴＡを取り込み第２ラッチ４２３に出力する。第２ラッチ４２３はラッチパルスＬＡＴのタイミングで第１ラッチ４２２の出力を保持し、レベルシフタ４２４で電圧増幅し、出力バッファ４２５で電流増幅する。出力バッファ４２５の出力は画素に接続しており、行選択ドライバによって選択された行に属する画素にＤＡＴＡを供給する。
【００４７】
ＤＡＴＡはシフトレジスタによってＳ１、Ｓ２、と列順に取り込まれるが、画素への書込はＳ１からＳｎまでの全列同時に行う。これにより画素への書込時間を長くとることができる。
【００４８】
Ｓｎに属するシフトレジスタ４２１の出力は、次列のシフトレジスタ４２１に接続される代わりに、出力信号(ＯＵＴＰＵＴ)として表示パネルの外部に出力される。この出力信号(ＯＵＴＰＵＴ)は実施の形態２で示した出力信号(ＯＵＴＰＵＴ)として、動作周波数を決定するために利用することができる。
【００４９】
図５に行選択ドライバの一例を示す。図５に示す行選択ドライバ５０３はシフトレジスタ５２１、レベルシフタ５２４、出力バッファ５２５によって構成されている。また制御信号としてスタートパルスＳＰ、クロックパルスＣＫが入力される。
【００５０】
シフトレジスタ５２１はスタートパルスＳＰとクロックパルスＣＫをタイミング信号として、シフト動作をし、Ｇ１からＧｍを順次選択していく。シフトレジスタ５２１の出力は、レベルシフタ５２４で電圧増幅され、出力バッファ５２５で電流増幅される。出力バッファ５２５の出力は画素に接続しており、Ｇ１からＧｍの画素の１行を順次走査していく。
【００５１】
Ｇｍに属するシフトレジスタ５２１の出力は、次行のシフトレジスタ５２１に接続される代わりに、出力信号(ＯＵＴＰＵＴ)として表示パネルの外部に出力される。この出力信号(ＯＵＴＰＵＴ)は実施の形態２で示した出力信号(ＯＵＴＰＵＴ)として、動作周波数を決定するために利用することができる。
【００５２】
列選択ドライバと行選択ドライバの出力信号(ＯＵＴＰＵＴ)はその両方を実施の形態２で示した出力信号(ＯＵＴＰＵＴ)として利用してもよいし、どちらか片方を利用してもよい。片方を利用する際には、より高い周波数での動作が必要となる列選択ドライバの出力信号(ＯＵＴＰＵＴ)を利用することが望ましい。
【００５３】
本実施例では線順次書込方式について説明したが、１画素毎に映像信号を書き込む点順次書込方式でもよい。この場合、列選択ドライバのシフトレジスタはアナログスイッチを順次選択し、映像信号はアナログスイッチによって該当する列に入力される。
【実施例３】
【００５４】
本実施例では時間階調方式のビデオドライバについて説明する。
【００５５】
時間階調方式は発光時間を制御する事で所望の輝度を得ることを特徴とする。階調数がnビットの映像信号の場合、nビットの発光時間を２-1とすると、n-1ビットは２n-2、1ビットは２0＝１と映像信号の重みに比例した発光時間とする。このとき画素は発光と非発光の２状態のみとなる。時間階調方式によって、ディジタル信号として入力された映像信号をディジタル信号のまま画素まで伝送する事が可能となり、ノイズに強くかつ再現性の高い高品位の映像を得ることが可能となる。また特に有機ＥＬ素子は電圧と輝度が非線形関係であるため、電圧による階調制御が難しい。しかし時間階調方式であれば駆動電圧を一定としながら階調表現ができるため、上記の難題を回避する事が出来る。
【００５６】
図６に時間階調方式のビデオドライバの一例を示す。図６に示すビデオドライバ６１１は映像信号受信部６３１、フレームメモリ６３２、映像信号出力部６３３で構成される。ここでは６ビット階調の４相並列出力のビデオドライバについて示す。４相並列出力とは、ＤＡＴＡの伝送数が４並列ということを示す。
【００５７】
映像信号受信部６３１は、外部から入力された6ビットの映像信号を受信し、時間階調方式に利用できるように並び替えてフレームメモリ６３２に記録する。映像信号は６ビット並列に１画素ずつ順番に入力される。この映像信号を６×４のメモリに一旦保持し、４画素並列に１ビットから６ビットまで順番にフレームメモリ６３２に記録する。この並び替え操作により１ビットを１フレーム、次に２ビットを１フレームと発光時間の異なる階調を分けた状態で、ＤＡＴＡを表示パネルに供給することができる。
【００５８】
映像信号出力部６３３は、フレームメモリに記録されたＤＡＴＡと、ＤＡＴＡの取り込みタイミングを規定する制御信号を表示パネルに出力する。このときＤＡＴＡは１ビットを１フレーム全て出力し、次に２ビットを出力し、というようにビット毎に順番に出力する。また本実施例では４画素分を並列に出力する。
【００５９】
ビデオドライバ６１１に入力される映像信号のフレーム周波数と、表示パネルに出力されるＤＡＴＡのフレーム周波数は必ずしも一致しない。例えばビデオドライバ６１１に入力される映像信号が６０fpsの場合、同じフレーム周波数で表示パネルに出力すると、画面のちらつきや擬似輪郭が発生し表示品位が低下することがある。
【００６０】
時間階調方式は、発光状態と非発光状態が視覚の残像現象として平均化されることで階調を表現する方式である。しかしフレーム周波数が低いとこの残像現象が働きにくくなるため、画面のちらつきとして認識されることがある。
【００６１】
また時間階調方式は、発光時間の重み付けによって階調表現する。例えば階調a=2n-1と階調b=2n-1-1を隣り合う画素に表示すると、階調aの画素はnビットの表示期間に発光し、階調bの画素はn-1ビットから1ビットの表示期間に発光することとなる。このとき階調は連続的に変化しているのに、表示期間は逆転しているため階調aの画素と階調bの画素の境界に擬似輪郭と呼ばれるノイズ状の線が見えることがある。
【００６２】
画面のちらつきも擬似輪郭も、表示品位を低下させる不良であり、できるだけ抑制する必要がある。抑制する方法としては、フレーム周波数を高めるのが効果的である。
【００６３】
特に擬似輪郭はフレーム周波数が１００fps以上になると見えにくくなる。この擬似輪郭は階調や発光輝度によらず発生するため、全ての階調でフレーム周波数を高めると効果的である。
【００６４】
以上に示したように、ＤＡＴＡとしては１００fps以上のフレーム周波数として出力したほうがよい。
【００６５】
しかしフレーム周波数に比例して制御信号とＤＡＴＡの周波数が高くなる。例えばフレーム周波数１２０fpsで常温や高温では表示パネルが動作しても、低温では正常動作しなくなることがある。正常動作しなくなると、画面が乱れたり、全く表示しなくなることがある。
【００６６】
そこで実施の形態で示したように、温度やＯＵＴＰＵＴなどをモニターし、ＤＡＴＡとして出力するフレーム周波数を変化させる。これにより常温や高温ではちらつきや擬似輪郭の少ない高品位な表示をし、低温では画面の乱れのない確実な動作をすることができる。
【実施例４】
【００６７】
本実施例ではフレーム周波数を変化させる方法について説明する。
【００６８】
ビデオドライバに入力される映像信号が一定のフレーム周波数で、出力される映像信号(ＤＡＴＡ)のフレーム周波数が変化する場合、フレーム周波数の変化に応じてフレームを補間する、または間引く。
【００６９】
図７にビデオドライバに入力される映像信号と出力されるＤＡＴＡの関係を示す。図７（Ａ）は入力される映像信号を表している。ここでは１フレームはｎビットの階調で表現されている。またｆ11とは１フレームの１ビットを示し、ｆ4nとは4フレームのｎビットを示す。図７（Ａ）の入力映像信号は、１フレーム、２フレーム、３フレームと順番に入力される。
【００７０】
出力される映像信号(ＤＡＴＡ)のフレーム周波数が高い場合を図７（Ｂ１）に示す。図７（Ｂ１）の出力映像信号(ＤＡＴＡ)は、１フレーム、１フレーム、２フレーム、２フレームと同じフレームを２回繰り返して出力している。これは連続する複数フレームで同じ映像信号を出力することで、フレーム間を補間していることを示す。フレーム間を補間することで、ビデオドライバに入力される映像信号よりも高いフレーム周波数でＤＡＴＡを出力することができる。以上のようにフレーム周波数を高くすることで、ちらつきや擬似輪郭の少ない高品位の画像を表示できる。
【００７１】
出力される映像信号(ＤＡＴＡ)のフレーム周波数が低い場合を図７（Ｂ２）に示す。図７（Ｂ２）の出力映像信号(ＤＡＴＡ)は、１フレーム、３フレーム、５フレーム、７フレームと２フレーム毎に出力している。このようにフレームを間引くことで、フレーム周波数を低くすることができる。フレーム周波数を低くすることで、制御信号やＤＡＴＡの周波数を低くすることができ、表示パネルを確実に動作させることができる。
【００７２】
本実施例ではフレーム補間の例として同じフレームを２回繰り返す方法を示したが、３回繰り返す方法や、入力される映像信号の２フレームに１回だけ同じフレームを２回繰り返す方法などがある。何れの方法でも本発明に適用することができる。
【００７３】
本実施例ではフレームを間引く例として同じフレームを２フレーム毎に出力する方法を示したが、３フレーム毎に出力する方法や、入力される映像信号の３フレームに１フレームだけ間引く方法などがある。何れの方法でも本発明に適用することができる。
【実施例５】
【００７４】
本実施例では階調数を削減することで制御信号やＤＡＴＡの周波数を下げる方法について説明する。
【００７５】
ビデオドライバに入力される映像信号が一定のフレーム周波数で、出力される制御信号やＤＡＴＡの周波数を下げる必要があるとき、低階調ビットを削減する。
【００７６】
図８にビデオドライバに入力される映像信号と出力されるＤＡＴＡの関係を示す。図８（Ａ）は入力される映像信号を表している。ここでは１フレームはnビットの階調で表現されている。またｆ11とは１フレームの１ビットを示し、ｆ4nとは4フレームのｎビットを示す。図８（Ａ）の入力映像信号は、１フレーム、２フレーム、３フレームと順番に入力される。
【００７７】
出力される映像信号(ＤＡＴＡ)を図８（Ｂ）に示す。図８（Ｂ）では階調数をnビットからｍビットに削減している。ここでｎ＞ｍの関係である。階調数を削減することで、フレーム周波数が同じでも表示パネルに供給するＤＡＴＡの情報量が少なくなるため、制御信号やＤＡＴＡの周波数を下げることができ、表示パネルを確実に動作させることができる。
【００７８】
また、図８（Ｃ）に示すように、低階調ビットのみフレームを間引く方法もある。
【実施例６】
【００７９】
本発明の半導体表示装置の駆動方法には様々な用途がある。本実施例では、本発明の適用が可能な電子機器の例について説明する。
【００８０】
このような電子機器には、携帯情報端末（電子手帳、モバイルコンピュータ、携帯電話等）、ビデオカメラ、デジタルカメラ、パーソナルコンピュータ、テレビ等が挙げられる。それらの一例を図９に示す。
【００８１】
図９（Ａ）はＥＬディスプレイであり、筐体３３０１、支持台３３０２、表示部３３０３等を含む。本発明により表示部３３０３を組みこんだＥＬディスプレイを完成させることができる。
【００８２】
図９（Ｂ）はビデオカメラであり、本体３３１１、表示部３３１２、音声入力部３３１３、操作スイッチ３３１４、バッテリー３３１５、受像部３３１６等を含む。本発明により表示部３３１２を組みこんだビデオカメラを完成させることができる。
【００８３】
図９（Ｃ）はパーソナルコンピュータであり、本体３３２１、筐体３３２２、表示部３３２３、キーボード３３２４等を含む。本発明により表示部３３２３を組みこんだパーソナルコンピュータを完成させることができる。
【００８４】
図９（Ｄ）は携帯情報端末であり、本体３３３１、スタイラス３３３２、表示部３３３３、操作ボタン３３３４、外部インターフェイス３３３５等を含む。本発明により表示部３３３３を組みこんだ携帯情報端末を完成させることができる。
【００８５】
図９（Ｅ）は携帯電話であり、本体３４０１、音声出力部３４０２、音声入力部３４０３、表示部３４０４、操作スイッチ３４０５、アンテナ３４０６を含む。本発明により表示部３４０４を組みこんだ携帯電話を完成させることができる。
【００８６】
図９（Ｆ）はデジタルカメラであり、本体３５０１、表示部（Ａ）３５０２、接眼部３５０３、操作スイッチ３５０４、表示部（Ｂ）３５０５、バッテリー３５０６を含む。本発明により表示部（Ａ）３５０２、表示部（Ｂ）３５０５を組みこんだデジタルカメラを完成させることができる。
【００８７】
以上の様に、本発明の適用範囲は極めて広く、あらゆる分野の電子機器に用いることが可能である。
【図面の簡単な説明】
【００８８】
【図１】本発明の実施形態を示す図である。
【図２】本発明の実施形態を示す図である。
【図３】本発明の実施形態を示す図である。
【図４】本発明の列選択ドライバの例を示す図である。
【図５】本発明の行選択ドライバの例を示す図である。
【図６】本発明のビデオドライバの例を示す図である。
【図７】本発明のフレーム周波数を変化させる方法を示す図である。
【図８】本発明の制御信号やＤＡＴＡの周波数を下げる方法を示す図である。
【図９】本発明の適用が可能な電子機器の例を示す図である。
【図１０】表示パネルの温度と最高動作周波数の関係の例である。
【符号の説明】
【００８９】
１００：表示パネル、１０１：画素、１０２：列選択ドライバ、１０３：行選択ドライバ、１０４：温度センサ、１１０：駆動回路、１１１：ビデオドライバ、１１２：ＡＤＣ、
２００：表示パネル、２０１：画素、２０２：列選択ドライバ、２０３：行選択ドライバ、２１０：駆動回路、２１１：ビデオドライバ、２１２：出力信号検出回路、
３００：表示パネル、３０１：画素、３０２：列選択ドライバ、３０３：行選択ドライバ、３１０：駆動回路、３１１：ビデオドライバ、
４０２：列選択ドライバ、４２１：シフトレジスタ、４２２：第１ラッチ、４２３：第２ラッチ、４２４：レベルシフタ、４２５：出力バッファ、
５０３：行選択ドライバ、５２１：シフトレジスタ、５２４：レベルシフタ、５２５：出力バッファ、
６１１：ビデオドライバ、６３１：映像信号受信部、６３２：フレームメモリ、６３３：映像信号出力部、
３３０１：筐体、３３０２：支持台、３３０３：表示部、３３１１：本体、３３１２：表示部、３３１３：音声入力部、３３１４：操作スイッチ、３３１５：バッテリー、３３１６：受像部、
３３２１：本体、３３２２：筐体、３３２３：表示部、３３２４：キーボード、
３３３１：本体、３３３２：スタイラス、３３３３：表示部、３３３４：操作ボタン、３３３５：外部インターフェイス、
３４０１：本体、３４０２：音声出力部、３４０３：音声入力部、３４０４：表示部、３４０５：操作スイッチ、３４０６：アンテナ、
３５０１：本体、３５０２：表示部（Ａ）、３５０３：接眼部、３５０４：操作スイッチ、３５０５：表示部（Ｂ）、３５０６：バッテリー
【図１】
2005181917.tif 000003
【図２】
2005181917.tif 000004
【図３】
2005181917.tif 000005
【図４】
2005181917.tif 000006
【図５】
2005181917.tif 000007
【図６】
2005181917.tif 000008
【図７】
2005181917.tif 000009
【図８】
2005181917.tif 000010
【図９】
2005181917.tif 000011
【図１０】
2005181917.tif 000012